(57)【要約】【課題】大型化することなく、指向周波数応答特性を高域まで優れたものとし、感度を高めることができるコンデンサマイクロホンユニットおよびコンデンサマイクロホンを得る。【解決手段】振動板５，１１とこの振動板に所定の間隙をおいて対向する固定電極７，１３を有してなる電気音響変換ユニット１８，１９が複数個一つのケース１内に同一軸上に配置され、各電気音響変換ユニット１８，１９が電気的に直列接続されている。前側ユニットと後側ユニットがそれぞれインピーダンス変換器を有していて、それぞれのインピーダンス変換器を含めて直列接続されている。【選択図】図１
2011097472.tif 000002
【特許請求の範囲】
【請求項１】
振動板とこの振動板に所定の間隙をおいて対向する固定電極を有してなる電気音響変換ユニットが複数個一つのケース内に同一軸上に前後に配置され、
各電気音響変換ユニットはスペーサで区分され、
各電気音響変換ユニットの振動板と固定電極はケースから電気的に絶縁されていて個々の振動板と固定電極に通じる端子が個別に設けられ、
各電気音響変換ユニットはインピーダンス変換器を有していて一つの電気音響変換ユニットに接続されたインピーダンス変換器の出力が他の電気音響変換ユニットを駆動するように接続されているコンデンサマイクロホンユニット。
【請求項２】
各電気音響変換ユニットは、エレクトレットコンデンサマイクロホンユニットである請求項１記載のコンデンサマイクロホンユニット。
【請求項３】
複数個の電気音響変換ユニットのうち前から２つ目以降の電気音響変換ユニットの振動板が固着されている振動板リングは前から１つ目の電気音響変換ユニットの振動板リングよりも薄い請求項１または２記載のコンデンサマイクロホンユニット。
【請求項４】
請求項１乃至３のいずれかに記載のコンデンサマイクロホンユニットを２組用い、
各組のコンデンサマイクロホンユニットにおける複数の電気音響変換ユニットは電気的に互いに逆向きに直列接続されていて、
上記２組のコンデンサマイクロホンユニットの一方がホット、他方がコールドでバランス出力されるコンデンサマイクロホンユニット。
【請求項５】
コンデンサマイクロホンユニットがマイクロホンケースに組み込まれてなるコンデンサマイクロホンであって、上記コンデンサマイクロホンユニットは請求項１ないし４のいずれかに記載のコンデンサマイクロホンユニットであるコンデンサマイクロホン。
【発明の詳細な説明】
【技術分野】
【０００１】
本発明は、高域まで優れた指向周波数応答特性を保ったまま、感度を高めることができるコンデンサマイクロホンユニットおよびこのマイクロホンユニットを用いたコンデンサマイクロホンに関するものである。
【背景技術】
【０００２】
コンデンサマイクロホンユニットは、振動板とこの振動板に所定の間隙をおいて対向する固定電極を備え、振動板が音波を受けて振動すると振動板と固定電極とで構成されているコンデンサの容量が変化することを利用した電気音響変換ユニットである。図１０、図１１に従来のコンデンサマイクロホンユニットの例を示す。
【０００３】
図１０、図１１において、筒型のケース１０１には、振動板リング１０２、振動板１０３、スペーサ１０４、固定電極１０５、音響抵抗材１０６、端子１０７、絶縁基台１０８、リングねじ１０９がこの順に内蔵されている。振動板１０３は表面に金属を蒸着させた薄い樹脂製の膜からなり、周縁部が振動板リング１０２に固着されている。ケース１０１は一端（前端：図１１において左端）に内向きの鍔を有し、この鍔の内方の面に振動板リング１０２が当接している。振動板１０３と固定電極１０５の間にはリング状の薄板からなるスペーサ１０４が介在し、振動板１０３と固定電極１０５の間にスペーサ１０４の厚さ分の間隙が形成されている。振動板１０３と固定電極１０５の対向面の片方にエレクトレット層を形成すれば、エレクトレットコンデンサマイクロホンユニットが構成される。
【０００４】
端子１０７は絶縁基台１０８の中心孔を貫通して後端部がマイクロホンユニットの後ろ側に突出するとともに、前端の頭部は固定電極１０５に当接している。音響抵抗材１０６は絶縁基台１０８に保持され、絶縁基台１０８に形成されている孔からなる音響端子から固定電極１０５の孔を通じて振動板１０３の背面に至る空間の音響抵抗を設定している。リングねじ１０９はケース１０１の後端部内周にねじ込まれ、絶縁基台１０８をケース１０１の前側に向かって押圧している。この押圧力で上記各内蔵部品が押され、上記のようにケース１０１の内向きの鍔に振動板リング１０２が当接することにより、各内蔵部品が相互に押圧された状態でケース１０１内に保持されている。
【０００５】
振動板１０３と電気的に通じている振動板リング１０２がケース１０１に電気的に通じることにより、固定電極１０５と電気的に通じている端子１０７とケース１０１から、電気音響変換された音声信号を出力することができる。この音声信号は微弱でインピーダンスが高いため、通常はＦＥＴなどからなるインピーダンス変換器が内蔵され、インピーダンスを低くして出力される。図１２は、上に述べたようなコンデンサマイクロホンユニットを用いたコンデンサマイクロホンの出力回路の例を示している。この出力回路は、上記固定電極をインピーダンス変換器１１０の入力端子に接続し、振動板１０３を接地側に接続し、インピーダンス変換器１１０の出力端子と接地との間にトランス１１１の一次コイルを接続している。トランス１１１の二次コイルの一端側をバランス出力のホット側、上記二次コイルの他端側をバランス出力のコールド側としてコネクタを介してマイクロホンケーブルに接続し、接地側をマイクロホンケーブルのシールド線に接続して音声信号をバランス出力するようになっている。
【０００６】
上記のように構成された従来のコンデンサマイクロホンユニットの指向周波数応答特性を図１３に示す。太線で示す特性線はマイクロホンユニットの正面すなわち中心軸線に対し傾きのない０度の位置で測定したもの、中間の太さの線で示す特性線はマイクロホンユニットの横すなわち中心軸線に対し９０度の位置で測定したもの、細線で示す特性線はマイクロホンユニットの真後ろすなわち中心軸線に対し１８０度の位置で測定したものである。いずれもＥＩＡＪの規格に従って測定した。図１３からわかるように、特に高域における指向周波数応答特性を劣化させることなく、感度を改善することが望まれる。
【０００７】
マイクロホンは感度が高いことが望ましい。コンデンサマイクロホンの感度を向上させるためには、
１．駆動力を増加させる
２．マイクロホンユニットのインピーダンスを低くする
３．マイクロホンユニットの振動板の面積を大きくする
などの方法が考えられる。
【０００８】
マイクロホンユニットの振動板の面積を大きくして感度を高くする方法が最も現実的であるが、この方法によれば、高い周波数領域において指向周波数応答特性が劣化する、すなわち高い周波数領域において感度が劣化する難点がある。そこで、本出願人は、高い周波数領域まで指向周波数応答特性が劣化することなく固有雑音を低下させることができるコンデンサマイクロホンを提案した。特許文献１に記載されているコンデンサマイクロホンがそれで、小口径の単一指向性コンデンサマイクロホンカプセル（マイクロホンユニット）を複数個並置し、各マイクロホンカプセルを並列に接続して一つのインピーダンス変換器に接続してなるものである。
【先行技術文献】
【特許文献】
【０００９】
【特許文献１】特開２００６−５７１０号公報
【００１０】
特許文献１記載のコンデンサマイクロホンによれば、目論見通りの効果をある程度までは達成することができるが、複数のマイクロホンカプセルを並列に接続するものであることから、感度を高めることは困難であった。
そこで本出願人は、複数のマイクロホンユニットをそれらの振動板が同一平面に位置するように配置し、一つのユニットに接続されるインピーダンス変換器の出力が別のユニットの接地側を駆動するように、各ユニットが直列に接続されてなるコンデンサマイクロホンについて先に特許出願した。特願２００９−１５１７６８に係る発明（以下、この発明を「先願発明」という）がそれであるが、本件の出願時点では未公開である。
【発明の概要】
【発明が解決しようとする課題】
【００１１】
先願発明に係るコンデンサマイクロホンによれば、指向周波数応答特性を高域まで優れたものとし、かつ、感度を高めることができる。
しかし、先願発明に係るコンデンサマイクロホンは、複数のマイクロホンユニットを物理的に並列的に配置するため、マイクロホンが大型化するという新たな解決すべき技術課題がある。
【００１２】
本発明は、上記新たな技術的課題を解消すること、すなわち、大型化することなく、高域まですぐれた指向周波数応答特性を得ることができ、かつ、指向周波数応答特性を劣化させることなく感度を高めることができるコンデンサマイクロホンユニットおよびコンデンサマイクロホンを提供することを目的とする。
【課題を解決するための手段】
【００１３】
本発明に係るコンデンサマイクロホンユニットは、振動板とこの振動板に所定の間隙をおいて対向する固定電極を有してなる電気音響変換ユニットが複数個一つのケース内に同一軸上に前後に配置され、各電気音響変換ユニットはスペーサで区分され、各電気音響変換ユニットの振動板と固定電極はケースから電気的に絶縁されていて個々の振動板と固定電極に通じる端子が個別に設けられ、各電気音響変換ユニットはインピーダンス変換器を有していて一つの電気音響変換ユニットに接続されたインピーダンス変換器の出力が他の電気音響変換ユニットを駆動するように接続されていることを最も主要な特徴とする。
【００１４】
本発明に係るコンデンサマイクロホンユニットの他の態様は、各電気音響変換ユニットが、エレクトレットコンデンサマイクロホンユニットであることを特徴とする。
【００１５】
本発明に係るコンデンサマイクロホンユニットのさらに他の態様は、複数個の電気音響変換ユニットのうち前から２つ目以降の電気音響変換ユニットの振動板が固着されている振動板リングは前から１つ目の電気音響変換ユニットの振動板リングよりも薄いことを特徴とする。
【００１６】
本発明に係るコンデンサマイクロホンユニットのさらに他の態様は、請求項１乃至３のいずれかに記載のコンデンサマイクロホンユニットを２組用い、各組のコンデンサマイクロホンユニットにおける複数の電気音響変換ユニットは電気的に互いに逆向きに直列接続されていて、上記２組のコンデンサマイクロホンユニットの一方がホット、他方がコールドでバランス出力されることを特徴とする。
【００１７】
本発明に係るコンデンサマイクロホンは、コンデンサマイクロホンユニットがマイクロホンケースに組み込まれてなるコンデンサマイクロホンであって、上記コンデンサマイクロホンユニットは、上記のように構成された本発明に係るコンデンサマイクロホンユニットであることを特徴とする。
【発明の効果】
【００１８】
振動板とこの振動板に所定の間隙をおいて対向する固定電極を有してなるコンデンサ型電気音響変換ユニットが複数個一つのケース内に同一軸上に前後に配置されているため、マイクロホンユニットは軸方向の寸法が僅かに大きくなる程度で、直径は従来一般のコンデンサマイクロホンユニットの直径と変わりがなく、ユニット全体の小型化を図ることができる。
また、電気的には、各電気音響変換ユニットはスペーサで区分され、各電気音響変換ユニットの振動板と固定電極はケースから電気的に絶縁されていて個々の振動板と固定電極に通じる端子が個別に設けられ、各電気音響変換ユニットはインピーダンス変換器を有していて一つの電気音響変換ユニットに接続されたインピーダンス変換器の出力が他の電気音響変換ユニットを駆動するように接続されているため、高域まですぐれた指向周波数応答特性を得ることができ、かつ、指向周波数応答特性を劣化させることなく感度を高めることができる。
【図面の簡単な説明】
【００１９】
【図１】本発明に係るコンデンサマイクロホンユニットの実施例を示す、（ａ）は正面図、（ｂ）は側面断面図である。
【図２】上記実施例を分解して示す側面断面図である。
【図３】上記実施例に係るコンデンサマイクロホンユニットの音響等価回路図である。
【図４】本発明に係るコンデンサマイクロホンユニットの電気的接続例を示す回路図である。
【図５】上記実施例に係るコンデンサマイクロホンユニットの前側ユニットの指向特性線図である。
【図６】上記前側ユニットの周波数応答を示す特性線図である。
【図７】上記実施例に係るコンデンサマイクロホンユニットの後側ユニットの指向特性線図である。
【図８】上記後側ユニットの周波数応答を示す特性線図である。
【図９】上記前側ユニットと後側ユニットを合わせた上記実施例に係るコンデンサマイクロホンユニットの周波数応答を示す特性線図である。
【図１０】従来のコンデンサマイクロホンユニットの例を示す、（ａ）は正面図、（ｂ）は側面断面図である。
【図１１】上記従来例を分解して示す側面断面図である。
【図１２】上記従来例の電気的接続例を示す回路図である。
【図１３】上記従来のコンデンサマイクロホンユニットの周波数応答を示す特性線図である。
【発明を実施するための形態】
【００２０】
以下、本発明に係るコンデンサマイクロホンユニットおよびコンデンサマイクロホンの実施例を、図面を参照しながら説明する。
【実施例】
【００２１】
図１、図２において、絶縁性の材質からなる筒型のケース１には、端子板２、端子３、振動板リング４、振動板５、スペーサ６、固定電極７、端子板８、スペーサ９、振動板リング１０、振動板１１、スペーサ１２、固定電極１３、音響抵抗材１４、端子１５、絶縁基台１６、リングねじ１７がこの順に内蔵されている。振動板５，１１はそれぞれ薄い樹脂製の膜からなり、それぞれの周縁部が振動板リング４，１０に固着されている。ケース１は一端（前端：図２において左端）に内向きの鍔を有し、この鍔の内方の面に端子板２の周縁部が当接している。振動板５と固定電極７の間にはリング状の薄板からなるスペーサ６が介在し、振動板５と固定電極７の間にスペーサ６の厚さ分の間隙が形成されている。同様に、振動板１１と固定電極１３の間にはリング状の薄板からなるスペーサ１２が介在し、振動板１１と固定電極１３の間にスペーサ１２の厚さ分の間隙が形成されている。振動板５と固定電極７の対向面の少なくとも片方、および振動板１１と固定電極１３の対向面の少なくとも片方にエレクトレット層を形成することにより、エレクトレットコンデンサマイクロホンユニットが構成されている。
【００２２】
端子板２の中心孔を丸い棒形の端子３が端子板２の背面側から前面側に向かって貫通し、端子３の前端部がケース１の前端から前方に突出すると共に、端子３の後端部の大径部が端子板２に当接している。端子板２は振動板リング４を介して振動板５と電気的に通じていて、結果的には、振動板５は端子３と電気的に通じている。固定電極７の背面側にはリング状の端子板８が接していて、固定電極７と端子板８は電気的に通じている。端子板８の外周の一部は、ケース１の切り欠きから半径方向外側に向かい突出していて、この突出部は固定電極７に通じる出力端子となっている。上記端子板２、端子３、振動板リング４、振動板５、スペーサ６、固定電極７、端子板８で一つのコンデンサ型電気音響変換ユニット１８を構成している。以下、この電気音響変換ユニットを前側ユニット１８という場合もある。
【００２３】
図２において右側に位置する前記絶縁基台１６の中心孔を丸い棒形の端子１５が絶縁基台１６の前面側から背面側に向かって貫通し、端子１５の先端部が絶縁基台１６の背面側に突出すると共に、端子１５の大径部が固定電極１３に圧接している。したがって、固定電極１３と端子１５が電気的に通じている。振動板リング１０の外周の一部は、ケース１の切り欠きから半径方向外側に向かい突出していて、この突出部は振動板１１に通じる出力端子となっている。固定電極１３と絶縁基台１６の間には音響抵抗材１４が介在し、音響抵抗材１４は、音響端子を構成する絶縁基台１６の孔からなる音響端子の音響抵抗を構成している。
上記振動板リング１０、振動板１１、スペーサ１２、固定電極１３、音響抵抗材１４、端子１５で一つのコンデンサ型電気音響変換ユニット１９を構成している。以下、この電気音響変換ユニットを後側ユニット１９という場合もある。
【００２４】
上記前側ユニット１８と後側ユニット１９の間にはこれらのユニットを前後に区分するスペーサ９が介在している。ケース１の後端部（図２において右端部）内周にはリングねじ１７がねじ込まれ、リングねじ１７は絶縁基台１６を前方に向かって押圧している。この押圧力でケース１の上記各内蔵部品が前方に向かって押圧され、端子板２がケース１の内向きの鍔に当接し、上記各内蔵部品が相互に当接した状態でケース１内に位置決めされて保持されている。このようにして、前後の電気音響変換ユニット１８，１９は、一つのケース１内に同一軸上に、かつ、前後に直列的に配置されている。前側ユニット１８の出力信号は端子３と端子板８から取り出される。後側ユニット１９の出力信号は端子１５と振動板リング１０から取り出される。したがって、各電気音響変換ユニット１８，１９の振動板５，１１と固定電極７，１３はケース１から電気的に絶縁されていて、個々の振動板５，１１と固定電極７，１３に通じる端子が個別に設けられている構成になっている。
【００２５】
図３は、上記実施例に係るマイクロホンユニットの音響等価回路で、Ｓｂは、前側振動板５と固定電極７との間の空隙と、固定極７の孔と、この固定極７と後側の振動板１１との間の空隙を合わせた空間のスティフネスを示している。このスティフネスＳｂを境にして前側ユニット１８と後側ユニット１９が結合された形になっている。Ｐ１は前側ユニット１８の音圧、ｍ０Ａ，Ｓ０Ａ，ｒ０Ａはそれぞれ前側ユニット１８の空気室の質量、スティフネス、音響抵抗を示している。Ｐ２は後側ユニット１９の音圧、ｍ０Ｂ，Ｓ０Ｂ，ｒ０Ｂはそれぞれ後側ユニット１９の空気室の質量、スティフネス、音響抵抗を示している。Ｓ１は固定電極１３の孔およびこれに連通する後部空気室のスティフネスをそれぞれ示している。ｒ１は音響抵抗材１４の音響抵抗値を示している。
【００２６】
次に、上記実施例の電気的な接続例について図４を参照しながら説明する。図４に示す例は、これまで説明してきたコンデンサマイクロホンユニットを２組用いてバランス出力する構成になっているが、ここではまず、図４の上半部に示す１組のマイクロホンユニットの出力回路例について説明する。図４において、振動板５と固定電極７は前述のように前側ユニット１８の主要部をなし、振動板１１と固定電極１３は後側ユニット１９の主要部をなしている。前側ユニット１８の振動板５は、前述のように振動板電極４、端子板２、端子３を介してユニットの外に引き出され、図４に示すように接地されている。固定電極７は端子板８からユニットの外に引き出され、インピーダンス変換器２１の入力端子に接続されている。インピーダンス変換器２１の出力端子は、後側ユニット１９の振動板リング１０を経て振動板１１に接続され、後側ユニット１９の固定電極１３は端子１５を経てユニット外に引き出され、インピーダンス変換器２２の入力端子に接続されている。インピーダンス変換器２２の出力端子が前側ユニット１８の信号出力端子となっている。
【００２７】
このように、二つの電気音響変換ユニット１８，１９が一つのケース内に収納されて物理的に同一軸上に配置され、電気的には前後の電気音響変換ユニット１８，１９がそれぞれインピーダンス変換器２１，２２を有していて、それぞれのインピーダンス変換器２１，２２を含めて直列に接続されている。換言すれば、一つのケース内に互いに絶縁された複数の振動板およびこれらの振動板と対をなす固定電極が同軸上に前後に配置され、各電気音響変換ユニットはスペーサで区分され、各電気音響変換ユニットの振動板と固定電極はケースから電気的に絶縁されていて個々の振動板と固定電極に通じる端子が個別に設けられ、各電気音響変換ユニットはインピーダンス変換器を有していて一つの電気音響変換ユニットに接続されたインピーダンス変換器の出力が他の電気音響変換ユニットを駆動するように接続されている。このようにして、複数の電気音響変換ユニットが電気的に直列に接続されることにより、直列接続した段数をＮとすると、Ｎ倍の出力電圧、すなわち２０ｌｏｇＮ（Ｎ＝２，３，・・・）が得られる。固有雑音は無相関であるから、１０ｌｏｇＮの増加になり、信号対雑音比（Ｓ／Ｎ）が改善される。
【００２８】
前後のユニット１８，１９の固定電極７，１３には複数の孔が設けられていて、これらの孔により前後のユニット１８，１９が音響的に直列接続されている。そして、後側ユニット１９の振動板リング１０は前側ユニット１８の振動板リング４よりも厚さの薄いものを用いており、もって、前側の固定電極７と後側の振動板１１との間の空隙を小さくしてそのスティフネス（図３に示すＳｂ）を大きくしている。図示の実施例のような前後２つのユニットを有してなる構成に限らず、電気音響変換ユニットが前後に複数配置されている一般的な構成を想定しながら言い換えると、複数個の電気音響変換ユニットのうち前から２つ目以降の電気音響変換ユニットの振動板が固着されている振動板リングの厚さは、前から１つ目の電気音響変換ユニットの振動板リングよりも薄くなっているということができる。
【００２９】
上記２つ目以降の電気音響変換ユニットにおける振動板リングの厚さは、所定の強度を保つことができれば、高域周波数特性の劣化を防ぐために、可能な限り薄くするのが望ましい。従来、振動板リングは切削によって製作していたが、所定の強度を保つためには厚さをあまり薄くすることはできなかった。上記２つ目以降の電気音響変換ユニットにおける振動板リングのように、なるべく薄く、かつ、所定の強度を保つことができる振動板リングを得るためには、金属板をエッチング加工することによって製作するとよい。このようにして、後側ユニット１９の振動板リング１０を可能な限り薄くすることにより、後側ユニット１９の高域周波数特性の劣化を防いでいる。振動板リングの厚さは通常８００μｍ程度であるが、後側ユニット１９の振動板リング１０の厚さは２００μｍ程度が好ましい。実施例では、後側ユニット１９の振動板リング１０として、真ちゅう板をエッチング加工した後金メッキを施した厚さ２００μｍの振動板リングを用いた。
【００３０】
後側ユニット１９の振動板１１にとっては、前側ユニット１８の振動板５と固定電極７との間の空隙および上記固定電極７と後側ユニット１９の振動板１１との間の空隙が前部音響抵抗として作用するため、後側ユニット１９の指向性は、前側ユニット１８の指向性と比較すると双指向性寄りになる。図５は上記実施例における前側ユニット１８の指向性を、図７は上記実施例における後側ユニット１９の指向性を示す。上記のように、図７に示す後側ユニット１９の指向性は、図５に示す前側ユニット１８の指向性と比較すると双指向性寄りになっている。前側ユニット１８と後側ユニット１９は直列接続されて合成されるため、合成した出力が狙った指向性になるように、例えばカージオイドになるように、背面側に配置している音響抵抗材１４の抵抗値を適切に調整する。
【００３１】
また、各ユニット１８，１９から出力を独立して取り出すことができるため、ユニット１８，１９の出力の一方を選択し、あるいは双方を混合して出力することにより、ワイドカージオイドあるいはカージオイドなどの指向特性を得ることができる。これに加えて音響抵抗材１４の抵抗値を調節することにより、カージオイドあるいはスーパーカージオイドなどの指向性を得ることができる。
【００３２】
図６は前側ユニット１８の周波数応答を、図７は後側ユニット１９の周波数応答を示す。図９は、図４の上側に示すように、前側ユニット１８と後側ユニット１９の出力を直列接続することにより合成した出力の周波数応答を示す。太線で示す特性線はマイクロホンユニットの正面すなわち中心軸線に対し傾きのない０度の位置で測定したもの、中間の太さの線で示す特性線はマイクロホンユニットの横すなわち中心軸線に対し９０度をなす位置で測定したもの、細線で示す特性線はマイクロホンユニットの真後ろすなわち中心軸線に対し１８０度の位置で測定したものである。図１３に示す従来例の周波数応答と同様にＥＩＡＪの規格に則って測定した。図９と図１３とを比較すると、本発明の実施例によれば感度が向上していることが分かる。
【００３３】
図４に戻って、図４の上半部は既に述べた通り、前後のユニット１８，１９を一つのケース１に組み込んだ一つのコンデンサマイクロホンユニットを示している。図４に示す例ではその下半部に示すもう一つのコンデンサマイクロホンユニットを備えていて、ペアをなすコンデンサマイクロホンユニットによってバランス出力するように構成されている。図４の下半部のコンデンサマイクロホンユニットも、物理的な構成は上半部のコンデンサマイクロホンユニットと同じであるから、下半部のコンデンサマイクロホンユニットの各構成部材には上半部のコンデンサマイクロホンユニットの各構成部材に付した数字を付するとともに、この数字の後ろに「Ａ」を付した。
【００３４】
上半部のコンデンサマイクロホンユニットの前後のユニット１８，１９は前述のとおりインピーダンス変換器とともに電気的に直列に接続されている。下半部のコンデンサマイクロホンユニットの前後のユニットもインピーダンス変換器とともに直列に接続されているが、直列接続の向きが上半部のコンデンサマイクロホンユニットは逆になっている。すなわち、前側ユニットの固定電極７Ａが接地され、前側ユニットの振動板５Ａが前側ユニットのインピーダンス変換器２１Ａの入力端子に接続されている。インピーダンス変換器２１Ａの出力端子は後側ユニットの固定電極１３Ａに接続され、後側ユニットの振動板１１Ａが後側ユニットのインピーダンス変換器２２Ａの入力端子に接続されている。
【００３５】
図４において上半部のコンデンサマイクロホンユニットのインピーダンス変換器２２の出力端子は、バランス出力のホット側出力端子となっており、下半部のコンデンサマイクロホンユニットのインピーダンス変換器２２Ａの出力端子は、バランス出力のコールド側出力端子となっている。上記ホット側出力端子とコールド側出力端子はそれぞれコネクタを介してマイクロホンケーブルに接続され、接地側をマイクロホンケーブルのシールド線に接続されて音声信号をバランス出力するようになっている。このように、図４に示す例は、前述のように構成されたコンデンサマイクロホンユニットが２組あり、各組のコンデンサマイクロホンユニットにおける複数の電気音響変換ユニットは電気的に互いに逆向きに直列接続されて、上記２組のコンデンサマイクロホンユニットからバランス出力するように構成されている。
【００３６】
なお、本発明に係るコンデンサマイクロホンユニットを用いてバランス出力するには、必ずしも、図４に示す例のように２組のコンデンサマイクロホンユニットを用いる必要はなく、図１２に示す例のように、出力回路にトランスを接続することによりバランス出力させてもよい。
また、図示の実施例では、同一軸上に前後二つの電気音響変換ユニットを配置した構成になっていたが、電気音響変換ユニットは複数あることが条件であり、３個、あるいはそれ以上あってもよい。もっとも、電気音響変換ユニットは２個でも、十分な効果を得ることができ、小型化できる点でも有利である。
【００３７】
以上説明したような本発明に係るコンデンサマイクロホンユニットは、これをマイクロホンケースに組み込むことによって新規なコンデンサマイクロホンを得ることができる。
【産業上の利用可能性】
【００３８】
本発明によれば前述の効果を得ることができるため、使い勝手のよいコンデンサマイクロホンを提供することができ、コンデンサマイクロホンの用途を拡大することができる。
【符号の説明】
【００３９】
１    ケース
２    端子板
３    端子
４    振動板リング
５    振動板
６    スペーサ
７    固定電極
８    端子板
９    スペーサ
１０    振動板リング
１１    振動板
１２    スペーサ
１３    固定電極
１４    音響抵抗材
１５    端子
１６    絶縁基台
１７    リングねじ
１８    前側ユニット
１９    後側ユニット
【図１】
2011097472.tif 000003
【図２】
2011097472.tif 000004
【図３】
2011097472.tif 000005
【図４】
2011097472.tif 000006
【図５】
2011097472.tif 000007
【図６】
2011097472.tif 000008
【図７】
2011097472.tif 000009
【図８】
2011097472.tif 000010
【図９】
2011097472.tif 000011
【図１０】
2011097472.tif 000012
【図１１】
2011097472.tif 000013
【図１２】
2011097472.tif 000014
【図１３】
2011097472.tif 000015